(57)【要約】【課題】紙幣取扱装置の大型化・複雑化を抑制しつつ、紙幣取扱装置における使用方法のバリエーションを拡張するための構成を追加する技術を提供する。【解決手段】紙幣取扱装置１００Ａは、紙幣の投入および取り出しのための利用者側入出金口４０と顧客側入出金口４５とを備える。入金取引において、利用者が、利用者側入出金口４０から紙幣を投入した場合には、当該紙幣は、紙幣判別部３０によって記番号が読み取られつつ、各紙幣収納庫７１〜７４へと搬送され、収納される。顧客が顧客側入出金口４５から紙幣を投入した場合には、その紙幣は、顧客側入出金口４５から利用者側入出金口４０へと搬送され、取引の確定後に、利用者側入出金口４０から各紙幣収納庫７１〜７４へと搬送され、収納される。【選択図】図１１
2014002509.tif 000002
【特許請求の範囲】
【請求項１】
紙幣取扱装置であって、
外部からの紙幣の投入および取り出しが可能な第１と第２の入出金口と、
紙幣を収納する紙幣収納庫と、
前記第１の入出金口と前記紙幣収納庫とを接続し、紙幣を双方向に搬送可能な第１の搬送路と、
前記第２の入出金口と前記第１の入出金口との間で紙幣を搬送する第２の搬送路と、
取引の確定または中止の操作を受け付ける操作受付部と、
前記第１と第２の搬送路における紙幣の搬送を制御する制御部と、
を備え、
前記制御部は、
（ｉ）外部から前記第１の入出金口に投入された紙幣を前記紙幣収納庫へ搬送して収納し、
前記紙幣の収納の後に、前記操作受付部が取引を中止する操作を受け付けたときには、前記第１の搬送路の搬送方向を反転させて、前記紙幣を前記紙幣収納庫から前記第１の入出金口へと戻して外部から取り出し可能な状態にする、第１の入金取引処理を実行し、
（ｉｉ）外部から前記第２の入出金口に投入された紙幣を前記第２の入出金口から前記第１の入出金口へと搬送し、前記搬送の後に、
前記操作受付部が取引を確定する操作を受け付けたときには、前記第１の入出金口から前記紙幣収納庫へと前記紙幣を搬送し、
前記操作受付部が取引を中止する操作を受け付けたときには、前記第１の入出金口の紙幣を外部から取り出し可能な状態にする、
第２の入金取引処理を実行する、紙幣取扱装置。
【請求項２】
請求項１記載の紙幣取扱装置であって、さらに、
前記第１の搬送路の途中に設けられ、搬送中の紙幣の記番号を取得する紙幣判別部を備え、
前記制御部は、前記第１の入金取引処理において、前記紙幣収納部に収納される紙幣の記番号と、取引の中止のときに前記第１の入出金口に戻される紙幣の記番号とを、前記紙幣判別部によって取得し、両者を照合する、紙幣取扱装置。
【請求項３】
請求項２記載の紙幣取扱装置であって、
前記制御部は、前記第１の入金取引処理が実行される場合には、前記紙幣判別部に記番号の取得を実行させ、前記２の入金取引処理が実行される場合には、前記紙幣判別部に記番号の取得を実行させない、紙幣取扱装置。
【請求項４】
請求項１から請求項３のいずれか一項に記載の紙幣取扱装置であって、さらに、
前記第１の搬送路に接続され、所定の基準を満たさないリジェクト紙幣を収納するリジェクト庫を備え、
前記紙幣判別部は、搬送中の紙幣の中から、前記リジェクト紙幣を検出する機能を有し、
前記制御部は、第１と第２の入金取引処理の実行時に、前記紙幣判別部によって検出された前記リジェクト紙幣を、前記リジェクト庫へと搬送する、紙幣取扱装置。
【請求項５】
請求項４記載の紙幣取扱装置であって、
前記第２の入出金口と前記第１の搬送路とを接続する第３の搬送路を備え、
前記第２の搬送路は、
前記紙幣判別部と前記紙幣収納庫との間において、前記第１の搬送路に接続し、前記第２の入出金口と、前記第１の搬送路とを接続する合流搬送路と、
前記第１の搬送路に含まれる、前記合流搬送路との接続箇所と前記第１の入出金口との間の、前記紙幣判別部が配置されている搬送路である、共通搬送路と、
を含み、
前記第３の搬送路は、前記第１の入出金口と前記紙幣判別部との間において、切替ゲートを介して、前記共通搬送路に接続されており、
前記切替ゲートは、前記共通搬送路の紙幣を前記第２の入出金口へと分岐させることができ、
前記制御部は、前記第２の入金取引処理において、前記第２の搬送路を介して、前記第２の入出金口から前記第１の入出金口へと搬送される紙幣の中から、前記リジェクト紙幣を検出し、検出された前記リジェクト紙幣を、前記第３の搬送路を介して、前記第２の入出金口に戻す、紙幣取扱装置。
【請求項６】
請求項２から請求項５のいずれか一項に記載の紙幣取扱装置であって、
前記紙幣収納庫は、複数の紙幣収納庫を含み、
前記紙幣判別部は、さらに、搬送中の紙幣の金種を判別する機能を有し、
前記制御部は、前記第１と第２の入金処理において、前記紙幣判別部において判別された金種に応じて、前記複数の紙幣収納庫に、紙幣を金種別に収納する、紙幣取扱装置。
【発明の詳細な説明】
【技術分野】
【０００１】
この発明は、紙幣取扱装置に関する。
【背景技術】
【０００２】
金融機関では、顧客と、金融機関の係員（いわゆるテラー）との間での金銭の授受を伴う取引の際に、紙幣取扱装置が用いられる（下記特許文献１参照）。金融機関における入金取引では、通常、取引が確定されるまでは、その紙幣の所有権は顧客側にあるものとして扱われる。そのため、紙幣取扱装置は、顧客からの紙幣を受け入れた後であっても、取引の確定までは、当該紙幣を一時保留部に収納して返却可能に保持し、取引確定後に、当該紙幣を金種別に収納庫に収納する構成を採用している。また、紙幣取扱装置は、紙幣取引を円滑に行うために、汚れや形状などが一定の基準を満たさず、取引に適さない紙幣については、リジェクト紙幣として、取引対象から除外する機能を備えている。
【先行技術文献】
【特許文献】
【０００３】
【特許文献１】特開２００４−１４５６００号公報
【発明の概要】
【発明が解決しようとする課題】
【０００４】
ところで、通常、金融機関の取引では、紙幣取扱装置の利用者であるテラーが、顧客と紙幣取扱装置との間で紙幣を仲介する役割を担っており、紙幣取扱装置は、テラーが操作を行うことを前提として構成されていた。しかし、金融機関の取引においては、例えば、顧客が直接的に紙幣取扱装置に紙幣を投入することができるなど、紙幣取扱装置が顧客によっても操作可能なように構成されている方が便宜な場合もある。
【０００５】
これまで、紙幣取扱装置に対しては、そのような装置の使用方法のバリエーションを拡張する構成の追加が要求されてきた。しかし、そうした構成の追加は、紙幣取扱装置の構成の複雑化や大型化を伴う可能性があり、現実的ではなかった。
【０００６】
本発明は、上述の課題を解決するためになされたものであり、紙幣取扱装置の大型化・複雑化を抑制しつつ、紙幣取扱装置における使用方法のバリエーションを拡張するための構成を追加する技術を提供することを目的とする。
【課題を解決するための手段】
【０００７】
本発明は、上述の課題の少なくとも一部を解決するためになされたものであり、以下の形態として実現することが可能である。
【０００８】
本発明に係る紙幣取扱装置は、上記課題を解決するために、少なくとも、外部からの紙幣の投入および取り出しが可能な第１と第２の入出金口と；紙幣を収納する紙幣収納庫と；前記第１の入出金口と前記紙幣収納庫とを接続し、紙幣を双方向に搬送可能な第１の搬送路と；前記第２の入出金口と前記第１の入出金口との間で紙幣を搬送する第２の搬送路と；取引の確定または中止の操作を受け付ける操作受付部と；前記第１と第２の搬送路における紙幣の搬送を制御する制御部と；を備え、前記制御部が、
（ｉ）外部から前記第１の入出金口に投入された紙幣を前記紙幣収納庫へ搬送して収納し、前記紙幣の収納の後に、前記操作受付部が取引を中止する操作を受け付けたときには、前記第１の搬送路の搬送方向を反転させて、前記紙幣を前記紙幣収納庫から前記第１の入出金口へと戻して外部から取り出し可能な状態にする、第１の入金取引処理を実行し、
（ｉｉ）外部から前記第２の入出金口に投入された紙幣を前記第２の入出金口から前記第１の入出金口へと搬送し、前記搬送の後に、前記操作受付部が取引を確定する操作を受け付けたときには、前記第１の入出金口から前記紙幣収納庫へと前記紙幣を搬送し、前記操作受付部が取引を中止する操作を受け付けたときには、前記第１の入出金口の紙幣を外部から取り出し可能な状態にする、第２の入金取引処理を実行する。
【発明の効果】
【０００９】
本発明によれば、２つの入出金口を、紙幣の投入口として、適宜選択して用いることができ、紙幣取扱装置の使用方法のバリエーションが拡張される。また、２つの入出金口を備えている場合であっても、主な紙幣の搬送路を共有しているため、搬送路の追加に伴う装置の複雑化や大型化が抑制される。さらに、第２の入出金口を紙幣の投入口として使用する場合には、第１の入出金口を紙幣の一時保留庫として利用しており、第１の入出金口を有効活用でき、効率的である。
なお、上述した以外の本発明の課題や、構成、効果等については、以下の実施例や実施形態の説明において適宜説明する。
【図面の簡単な説明】
【００１０】
【図１】参考例としての紙幣取扱装置の構成を示す概略図。
【図２】処理機構の搬送路の駆動力について説明するための概略図。
【図３】紙幣取扱装置の内部構成を示すブロック図。
【図４】入金取引処理の処理手順を示す説明図。
【図５】入金取引処理における、紙幣を各紙幣収納庫または入金リジェクト庫に収容するための紙幣の搬送経路を示す概略図。
【図６】障害発生を通知するメッセージの表示例を示す概略図。
【図７】入金取引処理における、顧客の紙幣を紙幣収納庫から入出金口に戻すための紙幣の搬送経路を示す概略図。
【図８】記番号の不一致が検出された場合に利用者に通知されるメッセージの表示例を示す概略図。
【図９】出金取引処理の処理手順を示す説明図。
【図１０】出金取引処理における紙幣の搬送経路を示す概略図。
【図１１】実施例としての紙幣取扱装置の構成を示す概略図。
【図１２】入金取引開始時に実行される取引開始処理の処理手順を示す説明図。
【図１３】第２の入金取引処理の処理手順を示す説明図。
【図１４】第２の入金取引処理における紙幣の搬送経路を示す概略図。
【図１５】第２の入金取引処理における紙幣の搬送経路を示す概略図。
【図１６】第２の出金取引処理における紙幣の搬送経路を示す概略図。
【発明を実施するための形態】
【００１１】
＜参考例＞
以下では、まず、本発明の理解を容易にするために、紙幣の投入口としての入出金口を１つのみ備える紙幣取扱装置の構成を、本発明の参考例として説明する。本発明の実施例としての紙幣取扱装置については、参考例の説明の後に説明する。
【００１２】
図１は本発明の参考例としての紙幣取扱装置の構成を示す概略図である。この紙幣取扱装置１００は、銀行などの金融機関に配置され、利用者（いわゆるテラーなどの金融機関の係員）の操作に応じて、顧客との間の金銭の授受に関する各種の取引を実行することができる。
【００１３】
なお、本明細書では、利用者が正対する側（紙面左側）である、矢印Ｆで示す方向を「紙幣取扱装置１００の前方」と呼ぶ。一方、顧客が正対する側（紙面右側）である、矢印Ｂで示す方向（前方とは反対の方向）を「紙幣取扱装置１００の後方」と呼ぶ。また、「左右方向」と呼ぶときは、利用者が紙幣取扱装置１００の前方に正対したときの左右方向を意味する。
【００１４】
紙幣取扱装置１００は、上部に配置されている処理機構１０１と、下部に配置されている収納機構１０２と、を備えている。処理機構１０１は、紙幣入出金口４０と、紙幣判別部３０と、入金リジェクト庫６０と、操作受付部９０と、を有している。紙幣入出金口４０は、処理機構１０１の前方上部に設けられており、利用者は、紙幣入出金口４０に対して、取引対象となる紙幣の投入及び取り出しを行うことができる。
【００１５】
紙幣入出金口４０には、利用者がアクセスする際に、回動機構によって開閉するシャッター４１が設けられている。なお、紙幣入出金口４０では、利用者によって投入された紙幣は、長辺に沿った方向を水平方向として立てられた状態で収容される。また、紙幣入出金口４０では、利用者に提供するために装置内から繰り出された紙幣も同様に、長辺に沿った方向を水平方向として立てられた状態で収容される。
【００１６】
紙幣判別部３０は、内部に、紙幣を双方向に搬送する搬送路３０ａを備えている。紙幣判別部３０の搬送路３０ａは、前後方向に水平面に沿って延びており、図示は省略するが、搬送中の紙幣に関する情報を取得するための各種のセンサが配列されている。紙幣判別部３０は、搬送中の紙幣について、（ｉ）金種の判別や、（ｉｉ）リジェクト紙幣に該当する否かの判別を実行する。
【００１７】
ここで、本明細書において、「リジェクト紙幣」とは、形状や、汚れ・変色の度合いなどが所定の基準を満たさず、取引対象として用いるのに適していない紙幣を意味する。なお、リジェクト紙幣には、偽造紙幣が含まれるものとしても良い。紙幣判別部３０は、これらの紙幣の判別処理を、光学センサや磁気センサなどによって取得された、紙幣の画像データや、紫外線などに対する光学特性、紙幣の表面の凹凸形状、磁気特性、など種々の情報を利用して行う。
【００１８】
さらに、紙幣判別部３０は、搬送中の紙幣について、（ｉｉｉ）紙幣固有の記番号の取得を実行する。具体的には、紙幣判別部３０は、光学センサによって取得した紙幣の画像データから紙幣の記番号を読み取る。参考例の紙幣取扱装置１００では、この紙幣の記番号によって装置内の紙幣を管理することができるが、詳細は後述する。紙幣判別部３０は、紙幣に関する判別結果や取得した記番号を制御部（後述）に出力する。
【００１９】
入金リジェクト庫６０は、紙幣判別部３０においてリジェクト紙幣として判別された紙幣が排出される排出口である。入金リジェクト庫６０は、処理機構１０１の前方であって、紙幣入出金口４０の下側の位置に設けられている。利用者は、入金取引において、紙幣入出金口４０から投入した紙幣に含まれていたリジェクト紙幣を、入金リジェクト庫６０のシャッター６１が開いたときに取り出すことができる。なお、図１には、開いた状態のシャッター６１を破線で図示してある。
【００２０】
操作受付部９０は、紙幣取扱装置１００の利用者側（前方）の側面に設けられており、利用者による操作を受け付ける。操作受付部９０は、取引の確定の際に押下される確定ボタン９１と、取引の中止の際に押下される中止ボタン９２とを含む。取引の確定や中止に伴う紙幣取扱装置１００の動作については後述する。なお、操作受付部９０は、他の部位に設けられているものとしても良い。
【００２１】
ここで、処理機構１０１には、紙幣入出金口４０と、紙幣判別部３０と、入金リジェクト庫６０とを結ぶ紙幣の搬送路８０が、搬送ベルトや搬送ローラによって設けられている。具体的には、紙幣入出金口４０と紙幣判別部３０との間に、搬送路４０ａ，１０ｅ，１０ｄが設けられ、紙幣判別部３０と入金リジェクト庫６０との間に、紙幣の搬送路１０ａ，５０ａ，５０ｂ，６０ａが設けられている。また、搬送路１０ｅと搬送路５０ａとを互いに接続する搬送路１０ｆが設けられている。
【００２２】
搬送路４０ａは、紙幣入出金口４０の下端に接続されており、紙幣入出金口４０に対して、下方から、紙幣を１枚ずつ、繰り入れ、または、繰り出すことができる。以後、搬送路４０ａを「入出金搬送路４０ａ」とも呼ぶ。入出金搬送路４０ａは、紙幣入出金口４０の下端から重力方向上側に延び、搬送路１０ｅに接続されている。
【００２３】
搬送路１０ｅは、入出金搬送路４０ａとの接続部位から重力方向上側に斜めに延びた後に折り返して重力方向下側に向かい、次の搬送路１０ｄに接続されている。搬送路１０ｄは、搬送路１０ｅとの接続箇所から、重力方向下側に延びた後、水平方向に曲がり、紙幣判別部３０の搬送路３０ａに接続されている。紙幣判別部３０の搬送路３０ａの後方側には、搬送路１０ａが接続されている。搬送路１０ａは、紙幣取扱装置１００の後方側の端部近傍まで延び、次の搬送路５０ａに接続されている。
【００２４】
ところで、参考例の紙幣取扱装置１００では、紙幣判別部３０の前方側の、上下方向に折り返す搬送路４０ａ，１０ｅ，１０ｄや、紙幣判別部３０の後方側の、前後方向に水平に延びる搬送路１０ａによって、紙幣の搬送距離を敢えて長大化させてある。この理由については後述する。
【００２５】
搬送路５０ａは、搬送路１０ａとの接続部から重力方向下側に向かって折り返し、搬送路１０ａおよび紙幣判別部３０の搬送路３０ａの下側において、紙幣判別部３０の前方側端部の下側までほぼ水平に延びている。なお、搬送路５０ａの下方には、収納機構１０２の第１〜第３の紙幣収納庫７１〜７３が配列されている。
【００２６】
搬送路５０ａは、前後方向に水平に延びる搬送路５０ｂと、斜め上方に延びる搬送路１０ｆとに、紙幣の搬送先を切り替えるためのゲート１５を介して接続されている。搬送路１０ｆは、紙幣の搬送先を切り替えるためのゲート１４を介して入出金搬送路４０ａに接続されている。
【００２７】
水平方向に延びる搬送路５０ｂの下方には、第４の紙幣収納庫７４が配置されており、搬送路５０ｂは、ゲート５４を介して、第４の紙幣収納庫７４の連結搬送路７４ａと接続されている。また、搬送路５０ｂは、入金リジェクト庫６０に接続された搬送路６０ａに接続されている。以後、搬送路６０ａを「入金リジェクト搬送路６０ａ」とも呼ぶ。
【００２８】
入金リジェクト搬送路６０ａは、前段の搬送路５０ｂから斜め上方に向かって延びて、入金リジェクト庫６０の上方端部に接続されている。リジェクト紙幣は、入金リジェクト搬送路６０ａによって、リジェクト庫６０内に上方から搬入されて積層される。
【００２９】
図２は、処理機構１０１の搬送路と、その駆動力について説明するための概略図である。図２は、以下の点以外は、図１とほぼ同じである。図２では、２つの搬送路４０ａ，６０ａや、処理機構１０１と収納機構１０２とを接続する連結搬送路７１ａ〜７４ａの図示を省略してあり、説明に関係する符号以外の表示を省略してある。また、図２では、２つの駆動モータ１０ｍ，２０ｍを模式的に図示してある。なお、２つの駆動モータ１０ｍ，２０ｍは、説明の便宜上、本来の位置から取り出した位置に表示してある。
【００３０】
ここで、本明細書では、処理機構１０１の搬送路８０のうち、紙幣判別部３０と第１〜第４の紙幣収納庫７１〜７４の入口とをそれぞれ結ぶループ状の経路を形成する搬送路５０ａ，１０ａ，３０ａ，１０ｄ，１０ｅ，１０ｆを「環状搬送路１０」とも呼ぶ。また、ゲート１５を介して、環状搬送路１０の中の搬送路５０ａに接続されている、前後方向に水平に延びる搬送路５０ｂを、特に、「水平搬送路２０」とも呼ぶ。
【００３１】
環状搬送路１０は、第１の駆動モータ１０ｍの回転駆動力を利用して紙幣を双方向に搬送する。具体的には、環状搬送路１０は、紙幣の搬送方向を、第１の駆動モータ１０ｍの回転方向を切り替えることによって、第１の搬送方向Ｄ１（図２では反時計回りの方向）と、第２の搬送方向Ｄ２（図２では時計回りの方向）とに切り替えることが可能である。なお、環状搬送路１０は、前記したとおりループ状の搬送経路を構成している。しかし、後述するように、環状搬送路１０では、紙幣を一周するように搬送することはない。
【００３２】
一方、水平搬送路２０（搬送路５０ｂ）は、第２の駆動モータ２０ｍの回転駆動力を利用して駆動され、第２の駆動モータ２０ｍの回転方向の切替により、水平面に沿った前後方向に搬送方向を切り替えて、紙幣を双方向に搬送することができる。このように、２つの搬送路１０，２０はそれぞれ、専用の駆動モータ１０ｍ，２０ｍによって駆動されているため、それぞれに、独立して駆動方向を切り替えることができる。
【００３３】
収納機構１０２（図１）は、紙幣を金種別に集積する、第１〜第４の紙幣収納庫７１〜７４と、所有権が金融機関側に所属しているリジェクト紙幣を集積する出金リジェクト庫７０とを備えている。第１〜第４の紙幣収納庫７１〜７４と出金リジェクト庫７０とは、取り出し可能なカセットによって構成されており、この順序で、後方から前方に向かって一列に配置されている。
【００３４】
ここで、前記したとおり、第１〜第４の紙幣収納庫７１〜７４の上方には、処理機構１０１の搬送路５０ａ，５０ｂが水平に延びている。第１〜第３の紙幣収納庫７１〜７３は、第１〜第３の連結搬送路７１ａ〜７３ａを介して、搬送路５０ａに接続されている。第４の紙幣収納庫７４は、第４の連結搬送路７４ａを介して搬送路５０ｂに接続されている。
【００３５】
なお、第１〜第４の連結搬送路７１ａ〜７４ａと、搬送路５０ａ，５０ｂとの接続部位には、紙幣の搬送先を切り替えるための第１〜第４のゲート５１〜５４が設けられている。また、第１〜第４の紙幣収納庫７１〜７４には、積層収容されている紙幣の束から、一番上の紙幣を１枚ずつ、第１〜第４の連結搬送路７１ａ〜７４ａへと順に繰り出し可能な紙幣の繰り出し機構が設けられている。
【００３６】
出金リジェクト庫７０は、連結搬送路７０ａを介して搬送路５０ｂの前方側の端部に接続されている。なお、連結搬送路７０ａと搬送路５０ｂとの間にはゲート５５が設けられている。ゲート５５は、搬送路５０ｂの接続先を、入金リジェクト搬送路６０ａまたは連結搬送路７０ａに切り替えることができる。出金リジェクト庫７０内には、連結搬送路７０ａによって搬入されたリジェクト紙幣が順に積層されていく。
【００３７】
ここで、図示は省略してあるが、紙幣取扱装置１００の搬送路８０には、所定の間隔で、紙幣の有無を検知する検知センサが設置されている。また、紙幣入出金口４０や、入金リジェクト庫６０、出金リジェクト庫７０、紙幣収納庫７１〜７４内にも、紙幣の搬入・搬出の完了を検知するための検知センサが設置されている。
【００３８】
なお、第１〜第４の紙幣収納庫７１〜７４や出金リジェクト庫７０は、その配置順序や機能を任意に変更することが可能であり、それによって、参考例の紙幣取扱装置１００は様々な使用態様に対応することができる。例えば、出金リジェクト庫７０は、参考例の紙幣取扱装置１００の運用前に予め紙幣収納庫７１〜７４に装填される紙幣や、紙幣取扱装置１００の運用後に紙幣収納庫７１〜７４から回収された紙幣を収納する紙幣装填庫または紙幣回収庫として利用することができる。
【００３９】
以上のように、参考例の紙幣取扱装置１００では、紙幣入出金口４０と紙幣判別部３０とが、前後方向に略水平に配列されており、その下段において、紙幣収納庫７１〜７４と出金リジェクト庫７０と入金リジェクト庫６０とが前後方向に並列に配列されている。この配置構成によって、参考例の紙幣取扱装置１００では、各構成部間に形成される紙幣の搬送経路が単純化（簡素化）されるとともに短縮化されており、紙幣の搬送効率が向上されている。
【００４０】
図３は、参考例の紙幣取扱装置１００の制御構成を示すブロック図である。紙幣取扱装置１００は、装置全体を制御する制御部１６０を備えている。制御部１６０は、少なくとも、主制御部１６１と、メモリ１６２と、上位通信部１６３と、を有する。主制御部１６１は、主に制御用のマイクロプロセッサによって構成することができ、紙幣取扱装置１００に各種の処理を実行させるための処理実行部として機能する。
【００４１】
メモリ１６２は主記憶装置であり、主制御部１６１が実行する各種のプログラムや、紙幣判別部３０から取得した紙幣の記番号など、紙幣に関する各種のデータが格納される。上位通信部１６３は、パーソナルコンピュータなどによって構成される、操作端末２００との通信を制御する。メモリ１６２に格納された紙幣に関する情報は、上位通信部１６３によって、操作端末２００にも送信される。
【００４２】
制御部１６０は、主制御部１６１によって、紙幣判別部３０と、紙幣入出金口４０と、入金リジェクト庫６０と、出金リジェクト庫７０と、紙幣収納庫７１〜７４と、搬送路８０と、を制御する。また、制御部１６０は、操作受付部９０から、紙幣取扱装置１００に対する操作を受け付ける。
【００４３】
ここで、主制御部１６１による搬送路８０の制御は、検知センサ１６５と、駆動モータ１６６と、ゲート１６７とを制御することによって実行される。なお、検知センサ１６５は、上述した、搬送路８０上や各構成部に設置されたセンサを含む。また、ゲート１６７は、搬送路８０に設けられた図１，図２に図示されたゲート１４，１５，５１，５２，５３，５４，５５を含む。駆動モータ１６６は、図２で説明した第１と第２の駆動モータ１０ｍ，２０ｍを含む。
【００４４】
［Ａ］入金取引処理：
図４は、紙幣取扱装置１００において実行される入金取引処理の処理手順を示すフローチャートである。ここで、「入金取引処理」とは、顧客から預かった紙幣を、紙幣入出金口４０から各紙幣収納庫７１〜７４に金種別に収納する処理である。
【００４５】
なお、入金取引処理では、顧客から預かった紙幣に含まれるリジェクト紙幣については取引対象から除外される。また、入金取引処理では、顧客から預かった紙幣を紙幣取扱装置１００に投入した後であっても、取引が確定されなかった場合（取引が取り消された場合）には、預かった紙幣をそのまま顧客に返却することになる。
【００４６】
ステップＳ１０では、主制御部１６１は、処理機構１０１において、紙幣を紙幣入出金口４０から各紙幣収納庫７１〜７４または入金リジェクト庫６０に搬送するための搬送経路を構成する。具体的に、主制御部１６１は、ゲート１６７や駆動モータ１６６（図３）を制御することによって、以下のような搬送経路を構成する。
【００４７】
図５は、入金取引処理における、顧客から預かった紙幣を各紙幣収納庫７１〜７４または入金リジェクト庫６０に収納するための紙幣の搬送経路を示す概略図である。図５は、紙幣の搬送方向が図示されている点と、紙幣の搬送に用いられない搬送路を破線で図示してある点以外は、図１とほぼ同じである。
【００４８】
主制御部１６１は、ゲート１４を制御して、紙幣入出金口４０と紙幣判別部３０との間の各搬送路４０ａ，１０ｅ，１０ｄを接続させる。また、主制御部１６１は、ゲート１５を制御して、搬送路５０ａと搬送路５０ｂとを接続し、ゲート５５を制御して、搬送路５０ｂと入金リジェクト搬送路６０ａとを接続する。
【００４９】
主制御部１６１は、環状搬送路１０（図２）において、紙幣が、矢印Ｄ２の方向に搬送されるように、第１の駆動モータ１０ｍを回転させる。また、主制御部１６１は、水平搬送路２０である搬送路５０ｂにおいて、紙幣が後方から前方へと搬送されるように、第２の駆動モータ２０ｍを回転させる。
【００５０】
主制御部１６１は、顧客から預かった紙幣の束が利用者によって紙幣入出金口４０に投入されたことが確認されたときに、当該紙幣の搬送を開始する（図４のステップＳ２０）。主制御部１６１は、入出金搬送路４０ａによって、紙幣入出金口４０から紙幣を一枚ずつ繰り出させ、搬送路１０ｅ，１０ｄを介して、紙幣判別部３０へと搬送させる。
【００５１】
主制御部１６１は、紙幣判別部３０に、搬送中の各紙幣について、金種の判別と、記番号の読み取りと、リジェクト紙幣の検出とを実行させる（ステップＳ３０）。なお、このとき、主制御部１６１は、取得した紙幣の情報を、メモリ１６２に格納するとともに、操作端末２００に送信する。
【００５２】
紙幣判別部３０を通過した紙幣は、搬送路１０ａを経て、搬送路５０ａ，５０ｂへと搬送される。主制御部１６１は、紙幣判別部３０で判別された金種に従って、ゲート５１〜５４を制御して、搬送路５０ａ，５０ｂの紙幣を、対応する金種の紙幣収納庫７１〜７４に搬入させる。また、主制御部１６１は、リジェクト紙幣については、搬送路５０ａを通過させ、搬送路５０ｂ，６０ａを介して、入金リジェクト庫６０へと搬入させる。
【００５３】
ところで、参考例の紙幣取扱装置１００では、紙幣が、紙幣判別部３０と第１の紙幣収納庫７１との間の搬送路１０ａを通過している間に、当該紙幣についての金種の判別やリジェクト紙幣の検出が完了する。即ち、紙幣が、紙幣判別部３０を通過した後、第１の紙幣収納庫７１のゲート５１に到達する前に、当該紙幣の搬送先が決定される。
【００５４】
従って、紙幣の搬送を停止させることなく、円滑に各紙幣収納庫７１〜７４へと紙幣を収納することができる。このように、参考例の紙幣取扱装置１００では、入金取引の際に、紙幣判別部３０の後段の搬送路１０ａが、紙幣判別部３０における紙幣の判別のための処理時間を確保するための経路として機能する。
【００５５】
主制御部１６１は、紙幣入出金口４０に投入された全ての紙幣の搬送が完了するまで上記の紙幣の搬送処理を繰り返す（ステップＳ５０）。なお、主制御部１６１は、上記の紙幣搬送処理の実行中に、検知センサによって搬送ジャムなどの障害が検出された場合には（ステップＳ４０）、操作端末２００の表示部を介して、利用者に対して障害の発生を通知する（ステップＳ４５）。
【００５６】
図６は、障害発生を通知するメッセージの表示例を示す概略図である。ここで、メモリ１６２や操作端末２００には、主制御部１６１から取得した紙幣の情報に基づき、顧客から預かった紙幣の金種と、記番号と、その収納先（第１〜第４の紙幣収納庫７１〜７４またはリジェクト庫６０）とが、それぞれ対応させて記録してある。
【００５７】
そこで、入金取引における紙幣搬送中の障害発生時には、障害の発生を知らせる通知とともに、障害が発生するまでに搬送が終了している紙幣の情報（記番号、収納先、金種等）が、係員連絡２０２として、利用者に対して表示される。利用者は、この係員連絡２０２の表示情報に基づき、入金紙幣と同じ記番号を有する紙幣を、紙幣取扱装置１００から取り出すことができる。
【００５８】
紙幣入出金口４０に投入された全ての紙幣の搬送が無事完了した後、利用者は、紙幣判別部３０によって計上された預かった紙幣の金額を顧客に示し、あらためて顧客の入金の意志を確認する（図４のステップＳ６０）。顧客が入金の意志を示したときに、取引が成立したことになり、紙幣の所有権が顧客から金融機関へと移行する。
【００５９】
利用者が、顧客の意志に基づき確定ボタン９１を押下すると、入金取引が確定され（ステップＳ６０のＹＥＳの矢印）、紙幣取扱装置１００における入金取引処理は終了する。一方、利用者が、顧客の意志に基づいて、中止ボタン９２を押下すると、入金取引がキャンセルされ（ステップＳ６０のＮＯの矢印）、紙幣取扱装置１００は、以下に説明する工程によって、顧客から預かった紙幣をそのまま顧客に返却する。ステップＳ７０では、主制御部１６１は、搬送路８０の構成を切り替えて、返金のための搬送経路を構成する。
【００６０】
図７は、入金取引処理における、第１〜第４の紙幣収納庫７１〜７４のそれぞれに収納された顧客の紙幣を紙幣入出金口４０に戻すための紙幣の搬送経路を示す概略図である。図７は、図示された紙幣の搬送方向が逆転している点以外は、図５とほぼ同じである。
【００６１】
主制御部１６１は、第１と第２の駆動モータ１０ｍ，２０ｍの回転方向を、図５で説明した、紙幣の収納処理のときとは反対の方向に切り替える。これによって、各紙幣収納庫７１〜７４から、紙幣判別部３０を経て、紙幣入出金口４０へと、紙幣を搬送することができる。ステップＳ８０（図４）では、主制御部１６１は、搬送路７１ａ〜７４ａを制御して、各紙幣収納庫７１〜７４のいずれかから紙幣を１枚ずつ繰り出させる。
【００６２】
ここで、主制御部１６１は、ステップＳ３０において紙幣判別部３０が取得し、メモリ１６２または操作端末２００に格納されている紙幣の記番号と収納先のデータ（以後、単に「記録データ」とも呼ぶ）を読み出す。そして、その記録データに記録されている紙幣の収納先に基づいて、各紙幣収納庫７１〜７４から紙幣を繰り出させる。以後、各紙幣収納庫７１〜７４から繰り出された紙幣を「返却紙幣」とも呼ぶ。
【００６３】
第１〜第３の紙幣収納庫７１〜７３から繰り出された返却紙幣は、搬送路５０ａ，１０ａを経て、紙幣判別部３０に到達する。第４の紙幣収納庫７４から繰り出された返却紙幣は、搬送路５０ｂ，５０ａ，１０ａを経て、紙幣判別部３０に到達する。紙幣判別部３０は、返却紙幣の記番号を読み取り、メモリ１６２または操作端末２００から取得した記録データと照合する（ステップＳ９０）。
【００６４】
主制御部１６１は、返却紙幣の記番号が、ステップＳ３０において記録されたデータ中に存在することを確認しつつ、紙幣返却のための搬送を続行する（ステップＳ１００）。ステップＳ９０の記番号の照合処理において、操作端末２００の記録データの記番号と返却紙幣の記番号との不一致が検出されなかった場合には、利用者は、紙幣入出金口４０に集積されている返却紙幣を顧客に、そのまま返却する。
【００６５】
一方、ステップＳ９０の記番号の照合処理において、記録データの記番号と返却紙幣の記番号との不一致が検出された場合には、主制御部１６１は、その旨を、操作端末２００の表示部に表示して利用者に通知する（ステップＳ１１５）。なお、記番号の不一致が生じる場合としては、例えば、返却紙幣が不足している場合や、返却紙幣に、記録データには無い記番号を有する紙幣が紛れ込んでいる場合などがある。
【００６６】
図８は、ステップＳ１１０において、利用者に通知されるメッセージの表示例を示す概略図である。この係員通知２０１が表示されたときには、利用者は、紙幣入出金口４０や入金リジェクト庫６０の紙幣の記番号を確認し、第１〜第４の紙幣収納庫７１〜７４内の紙幣を調査するなどして、顧客から預かった紙幣と返却紙幣とを一致させる作業を行うことになる。
【００６７】
ところで、従来の紙幣取扱装置では、顧客によって入金取引が確定されるまでは、顧客から預かった紙幣を、そのまま返却できるように一時保留部に保管し、入金キャンセル時には、その一時保留部から紙幣を返却していた。これに対して、参考例の紙幣取扱装置１００では、顧客から預かった紙幣を、その記番号と収納先とを記録して収納するため、入金キャンセル時には、その記番号に基づいて、同一の記番号を持つ紙幣を顧客に返却することができる。
【００６８】
従って、参考例の紙幣取扱装置１００では、紙幣の一時保留部を省略することができ、その分だけ、紙幣収納のための搬送経路が短縮することができるとともに、装置自体を小型化することができる。また、紙幣の搬送経路の短縮化に伴って、入金取引処理を高速かつ効率的に実行することができ、搬送による紙幣の疲弊や損傷・紛失を抑制することができる。従って、紙幣取扱装置１００における紙幣の管理性を向上させることができる。
【００６９】
［Ｂ］出金取引処理：
図９は、紙幣取扱装置１００において実行される出金取引処理の処理手順を示すフローチャートである。ここで、「出金取引処理」とは、顧客からの要求等に応じた金額の紙幣を、紙幣取扱装置１００から取り出す処理である。なお、出金取引処理では、入金取引処理と同様に、搬送中に検出されたリジェクト紙幣が取引対象から除外される。
【００７０】
ステップＳ２００では、主制御部１６１は、処理機構１０１において、出金取引処理のための搬送経路を構成する。そして、主制御部１６１は、第１〜第４の紙幣収納庫７１〜７４から、必要な紙幣を１枚ずつ繰り出させて、紙幣の搬送を開始する。
【００７１】
図１０は、出金取引処理における紙幣の搬送経路を示す概略図である。図１０は、リジェクト紙幣の搬送経路を一点鎖線で図示してある点以外は、図７とほぼ同じである。なお、図１０では、便宜上、搬送路５０ｂについて、通常の紙幣の搬送路として機能しているとき（実線）と、リジェクト紙幣の搬送路として機能しているとき（一点鎖線）の２つの状態をそれぞれオフセットして図示してある。
【００７２】
出金取引処理では、各紙幣収納庫７１〜７４から繰り出された紙幣は、上述した入金取引処理における返却紙幣の搬送経路と同様な経路によって、紙幣入出金口４０へと搬送される。ここで、出金取引処理では、紙幣判別部３０において、紙幣がリジェクト紙幣であるか否かの判別処理が実行される（図９のステップＳ２１０）。
【００７３】
リジェクト紙幣が検出されたときには、主制御部１６１は、搬送路８０の構成を以下のように切り替えることによって、当該リジェクト紙幣を、出金リジェクト庫７０へと搬送する（ステップＳ２２０）。主制御部１６１は、第４の紙幣収納庫７４からの紙幣の繰り出しを一旦停止させる。このとき、第１〜第３の紙幣収納庫７１〜７３からの紙幣の繰り出し、及び、搬送路５０ａ，１０ａにおける紙幣の搬送は継続されている状態である。
【００７４】
主制御部１６１は、搬送路５０ｂ上に搬送中の紙幣がなくなったことを検出したときに、搬送路５０ｂの搬送方向を反転させるとともに、出金リジェクト庫７０の連結搬送路７０ａを駆動させる（図１０の一点鎖線で示した搬送経路）。さらに、主制御部１６１は、ゲート１４を制御して、搬送路１０ｅと搬送路４０ａとの接続を遮断させて、搬送路１０ｅと搬送路１０ｆとを接続させるとともに、ゲート１５を制御して、搬送路１０ｆと搬送路５０ｂとを接続させる。
【００７５】
搬送路１０ｅのリジェクト紙幣は、搬送路１０ｆを経て、搬送路５０ｂに搬送され、搬送路５０ｂおよび連結搬送路７０ａによって、出金リジェクト庫７０へと搬送される。出金リジェクト庫７０へのリジェクト紙幣の収納が完了すると、主制御部１６１は、再び、各紙幣収納庫７１〜７４から紙幣入出金口４０への紙幣の搬送経路の構成に復帰させる。
【００７６】
ところで、参考例の紙幣取扱装置１００では、紙幣判別部３０によるリジェクト紙幣の判別処理は、判別対象である紙幣が、紙幣判別部３０の前方側の搬送路１０ｄを通過している間に完了する。これによって、判別対象である紙幣を、その判別結果に応じて、紙幣入出金口４０の搬送路４０ａまたは出金リジェクト庫７０に接続された搬送路１０ｆへと円滑に搬送させることができる。即ち、搬送路１０ｄは、リジェクト紙幣についての判別結果が出るまでの時間を確保するための経路として機能する。
【００７７】
なお、出金取引処理では、リジェクト紙幣は、出金リジェクト庫７０に換えて、入金リジェクト庫６０に搬送されるものとしても良い。この場合には、主制御部１６１は、入金リジェクト庫６０の入金リジェクト搬送路６０ａを駆動させるとともに、ゲート５５を制御して、入金リジェクト搬送路６０ａと搬送路５０ｂとを接続させる。
【００７８】
主制御部１６１は、必要な金額の紙幣が紙幣入出金口４０に収容されるまで、上記の紙幣の搬送を継続し（図９のステップＳ２３０）、紙幣の搬送が完了したときに、紙幣入出金口４０のシャッター４１を開く。これによって、利用者は、紙幣入出金口４０から紙幣の束を取り出し、顧客に渡すことができる。
【００７９】
このように、紙幣取扱装置１００では、リジェクト紙幣を迅速に取引対象から除外しつつ出金する出金取引処理が、簡易な構成を有する紙幣の搬送経路によって効率的に実行される。また、紙幣取扱装置１００の装置内における紙幣の搬送経路が短縮化・簡易化されていることにより、出金取引処理における紙幣の保護性が向上されている。なお、この出金取引処理においても、主制御部１６１は、紙幣判別部３０に紙幣の記番号を取得させるものとしても良い。
【００８０】
以上のように、参考例の紙幣取扱装置１００であれば、紙幣の記番号を取得可能な紙幣判別部３０を備えることにより、紙幣取扱装置１００を小型化しつつ、紙幣の管理性が向上されている。また、紙幣取扱装置１００であれば、入金取引処理や出金取引処理を効率的かつ迅速に実行することが可能である。
【実施例】
【００８１】
次に、本発明の実施例としての紙幣取扱装置を以下に説明する。本実施例の紙幣取扱装置は、上述した参考例の紙幣取扱装置１００の構成や機能は全て備えているが、紙幣の投入口としての入出金口が増設されている点において相違する。本実施例の紙幣取扱装置は、入出金口が増設されていることにより、操作や処理のバリエーションが、上記の参考例の紙幣取扱装置１００よりも拡張されている。具体的には以下の通りである。
【００８２】
図１１は、本発明の実施例としての紙幣取扱装置１００Ａの構成を示す概略図である。図１１は、処理機構１０１Ａに顧客側入出金口４５と、顧客側操作受付部９５とが追加され、処理機構１０１Ａにおける紙幣の搬送路の構成が変更されている点以外は、図１とほぼ同じである。本実施例の紙幣取扱装置１００Ａの構成（制御構成を含む）は、以下に説明する点以外は、参考例の紙幣取扱装置１００と同様である。
【００８３】
本実施例の紙幣取扱装置１００Ａは、上述した参考例の紙幣取扱装置１００と同様に、利用者の操作によって、入金取引処理や出金取引処理を実行することが可能である。また、本実施例の紙幣取扱装置１００Ａは、以下に説明する構成を有することによって、顧客自身が、紙幣取扱装置１００Ａに対して紙幣の投入や取り出しを行う、入金取引処理や出金取引処理を実行することも可能である。
【００８４】
本実施例の紙幣取扱装置１００Ａには、処理機構１０１Ａの後方側の上部に、顧客による紙幣の投入および取り出しを可能にするための顧客側入出金口４５が設けられている。顧客側入出金口４５は、上方に向かって開口する収納庫として構成されており、その開口部には開閉シャッター（破線で図示）が設けられている。なお、以下では、利用者側の紙幣入出金口４０を、顧客側入出金口４５と区別するために、「利用者側入出金口４０」とも呼ぶ。
【００８５】
顧客側入出金口４５の内部は、間仕切りによって、後方側の入口収納庫４６と、前方側の出口収納庫４７とに分けられている。顧客は、紙幣取扱装置１００Ａにおける取引処理の実行時には、入口収納庫４６に対して紙幣を投入することができ、出口収納庫４７から紙幣を取り出すことができる。なお、図示は省略するが、顧客側入出金口４５には、紙幣が収納されたことを検出するための検知センサが設けられている。
【００８６】
本実施例の紙幣取扱装置１００Ａには、処理機構１０１Ａの後方側の上部に、顧客が操作可能な顧客側操作受付部９５が設けられている。顧客側操作受付部９５は、利用者の操作のために前方側に設けられている操作受付部９０と同様に、確定ボタン９１と中止ボタン９２とを含む。本実施例の紙幣取扱装置１００Ａの制御部１６０（図３）は、顧客側操作受付部９５を介して、顧客からの操作を受け付けることができる。
【００８７】
処理機構１０１Ａの搬送路８０Ａは、搬送路１０ｅ，１０ｄに換えて、搬送路１０ｅＡ，１０ｄＡが設けられている点と、搬送路１０ｂ、４５ａ，ゲート１６が追加されている点以外は、参考例の搬送路８０（図１，図２）と同様である。処理機構１０１Ａでは、顧客側入出金口４０と紙幣判別部３０とが、搬送路４０ａ，搬送路１０ｅＡ，１０ｄによって接続されている。即ち、本実施例の紙幣取扱装置１００Ａでは、第１の駆動モータ１０ｍによって駆動される環状搬送路１０が、搬送路５０ａ，１０ａ，３０ａ，１０ｄＡ，１０ｅＡ，１０ｆによって構成されている。
【００８８】
搬送路１０ｅＡは、入出金搬送路４０ａに接続されている。搬送路１０ｅＡは、入出金搬送路４０ａとの接続部位から斜め上方に延びた後、後方側へと曲がり、紙幣判別部３０の上方においてほぼ水平に延び、搬送路１０ｄＡに接続されている。搬送路１０ｄＡは、搬送路１０ｅＡとの接続部位から前方側へと折り返し、搬送路１０ｅＡの水平部位と、紙幣判別部３０との間において、ほぼ水平に延びた後、重力方向下側に曲がり、紙幣判別部３０の搬送路３０ａに接続されている。
【００８９】
搬送路１０ｂは、顧客側入出金口４５の出口収納庫４７に紙幣を搬入するための搬送路である。搬送路１０ｂは、略Ｓ字状に折り返す搬送路であり、出口収納庫４７の下端と、紙幣判別部３０の上方における搬送路１０ｄＡの折り返し部位とに接続されている。具体的には、搬送路１０ｂは、搬送路１０ｄＡとの接続部位から曲がって重力方向下側へと延び、さらに、重力方向上側へと曲がって延びることにより、出口収納庫４７の下端に接続されている。
【００９０】
なお、搬送路１０ｅＡと搬送路１０ｂとの接続部位には、ゲート１６が設けられている。ゲート１６は、その切替動作によって、搬送路１０ｅＡにおいて搬送されている紙幣を、搬送路１０ｂへと分岐させることができる。
【００９１】
搬送路４５ａは、顧客側入出金口４５の入口収納庫４６から紙幣を繰り出すための搬送路である。搬送路４５ａは、入口収納庫４６の下端と、搬送路１０ａの後方側の端部とを接続している。搬送路４５ａを介して、入口収納庫４６から繰り出された紙幣は、搬送路１０ａを介して紙幣判別部３０へと搬送される。このような構成により、本実施例の紙幣取扱装置１００Ａでは、以下のように、入金取引処理と出金取引処理を実行することが可能である。
【００９２】
［Ｃ］第２の入金取引処理
本実施例の紙幣取扱装置１００Ａでは、入金取引処理として、利用者が顧客から預かった紙幣を顧客側入出金口４０に投入する第１の入金取引処理と、顧客自身が顧客側入出金口４５に紙幣を投入する第２の入金取引処理とを適宜、切り替えて実行することができる。具体的には、以下の通りである。
【００９３】
図１２は、本実施例の紙幣取扱装置１００Ａにおいて、入金取引処理の実行開始時に実行される取引開始処理の処理手順を示すフローチャートである。ステップＳ３００では、主制御部１６１は、入金取引処理を開始するための初期設定処理を実行する。具体的には、主制御部１６１は、使用する入出金口４０，４５を設定するための設定値や、各種の設定値を初期値に設定する。また、主制御部１６１は、前回に実行された入金取引処理において記録された紙幣に関する情報を消去したり、今回の入金取引処理において用いられない他の記憶領域に待避させたりする。
【００９４】
ステップＳ３１０では、主制御部１６１は、いずれの入出金口４０，４５から紙幣を受け入れるか、即ち、第１と第２の入金取引処理のいずれを実行するかを判定する。具体的には、主制御部１６１は、利用者側入出金口４０への紙幣の収納が検出されたときに第１の入金取引処理（ステップＳ３２０）の実行を決定し、顧客側入出金口４５への紙幣の収納が検出されたときに第２の入金取引処理（ステップＳ３３０）の実行を決定する。なお、ステップＳ３１０では、主制御部１６１は、利用者や顧客の操作に応じて、第１と第２の入金取引処理のいずれを実行するかを決定するものとしても良い。
【００９５】
第１の入金取引処理（ステップＳ３２０）は、上記参考例の紙幣取扱装置１００が実行していた入金取引処理（図４〜図８）と同様に実行される。即ち、この第１の入金取引処理では、主制御部１６１は、利用者によって利用者側入出金口４０に投入された紙幣を、記番号を取得しつつ各紙幣収納庫７１〜７４へと搬送し収納する。また、取引が中止されたときには、主制御部１６１は、返却紙幣についての記番号の照合処理を実行しつつ、返却紙幣を利用者側入出金口４０に搬送する。返却紙幣は、利用者が利用者側入出金口４０から取り出して顧客に手渡す。
【００９６】
図１３は、本実施例の紙幣取扱装置１００Ａにおいて実行される、第２の入金取引処理の処理手順を示すフローチャートである。ステップＳ４００では、主制御部１６１は、顧客によって顧客側入出金口４５に投入された紙幣を、一旦、利用者側入出金口４０へと搬送する。
【００９７】
図１４は、第２の入金取引処理において、顧客側入出金口４５の紙幣を利用者側入出金口４０へと搬送する際の搬送経路を示す概略図である。図１４では、図１０と同様に、紙幣の搬送経路を実線矢印で示し、リジェクト紙幣の搬送経路を一点鎖線の矢印で図示してある。また、図１４では、紙幣の搬送に用いられない搬送路については破線で図示してある。
【００９８】
主制御部１６１は、環状搬送路１０における紙幣の搬送方向が第１の搬送方向Ｄ１となるように、第１の駆動モータ１０ｍを駆動する。また、ゲート１４を制御して、入出金搬送路４０ａと搬送路１０ｆとの間の接続を解除する。さらに、主制御部１６１は、顧客側入出金口４５と紙幣判別部３０との間の２つの搬送路１０ａ，４５ａの駆動を開始する。
【００９９】
顧客によって入口収納庫４６に投入された紙幣は、一枚ずつ搬送路４５ａを介して、搬送路１０ａへと繰り出され、紙幣判別部３０に搬送される。紙幣判別部３０は、搬送されてきた紙幣についての金種の判別と、リジェクト紙幣の検出とを実行する。紙幣判別部３０においてリジェクト紙幣として検出されなかった通常の紙幣については、搬送路１０ｄＡ，１０ｅＡ，４０ａを介して、利用者側入出金口４０へと搬入される。
【０１００】
一方、紙幣判別部３０においてリジェクト紙幣が検出されたときには、主制御部１６１は、ゲート１６を制御することにより、検出されたリジェクト紙幣を、搬送路１０ｄＡから搬送路１０ｂへと搬送させる。これによって、顧客によって投入された紙幣の中から検出されたリジェクト紙幣は、出口収納庫４７へと搬入され、顧客に返却される。
【０１０１】
主制御部１６１は、利用者側入出金口４０への紙幣の搬送が完了すると、紙幣判別部３０から取得した紙幣の判別結果に基づいて、利用者側入出金口４０に収納された紙幣の合計金額を算出し、表示部などを介して利用者にその計算結果を通知する。この段階で、利用者は、顧客に対して、その結果を通知するとともに、取引の確定、または、中止についての判断を顧客に促し、操作受付部９５の操作を指示することになる。
【０１０２】
顧客が、操作受付部９５の中止ボタン９２を押下したときには、主制御部１６１は、利用者側入出金口４０のシャッター４１を開く（図１３のステップＳ４１０，Ｓ４３０）。これによって、利用者は、利用者側入出金口４０の紙幣を取り出して、顧客に紙幣を返却することが可能になる。一方、顧客が、操作受付部９５の確定ボタン９１を押下したときには、主制御部１６１は、利用者側入出金口４０の紙幣を各紙幣収納庫７１〜７４に収納するための処理を開始する（ステップＳ４２０）。
【０１０３】
図１５は、第２の入金取引処理において、利用者側入出金口４０の紙幣を各紙幣収納庫７１〜７４に収納する際の紙幣の搬送経路を示す、図１４と同様な概略図である。主制御部１６１は、ゲート１５を制御して、搬送路１０ａと搬送路５０ｂとを接続する。また、主制御部１６１は、環状搬送路１０の紙幣の搬送方向が第２の搬送方向Ｄ２となるように、第１の駆動モータ１０ｍを駆動し、搬送路５０ｂの紙幣の搬送方向が、後方側から前方側へと向かう方向になるように、第２の駆動モータ２０ｍを駆動する。
【０１０４】
このように紙幣の搬送経路を形成した後、主制御部１６１は、入出金搬送路４０ａを駆動して、利用者側入出金口４０の紙幣を一枚ずつ、搬送路１０ｅＡへと繰り出す。繰り出された紙幣は、搬送路１０ｅＡ，１０ｄＡを経て、紙幣判別部３０へと搬送される。紙幣判別部３０は、搬送中の紙幣について、金種の判別と、リジェクト紙幣の検出とを実行する。なお、主制御部１６１は、このとき、紙幣判別部３０には、記番号の読み取りを実行させない。
【０１０５】
紙幣判別部３０を通過した紙幣は、搬送路１０ａを経て、搬送路５０ａ，５０ｂへと搬送される。主制御部１６１は、紙幣判別部３０で判別された金種に従って、ゲート５１〜５４を制御して、搬送路５０ａの紙幣を、対応する金種の紙幣収納庫７１〜７４に搬入させる。また、主制御部１６１は、紙幣判別部３０で検出されたリジェクト紙幣については、搬送路５０ａから搬送路５０ｂまで搬送させた後、ゲート５５を制御することにより、連結搬送路７０ａを介して、出金リジェクト庫７０へと搬入させる。
【０１０６】
このように、本実施例の紙幣取扱装置１００Ａでは、第２の入金取引処理において、顧客自身が紙幣の投入および紙幣の取り出しを行うことができる。そのため、利用者の過失や不正行為による損失の発生を抑制することができる。また、第２の入金取引処理では、利用者側入出金口４０を一時保留庫（一時保管庫）として利用し、利用者側入出金口４０を無駄にすることなく有効活用している。さらに、取引確定後の紙幣の収納時には、第１の入金取引処理において用いられる搬送路によって紙幣を搬送しており、顧客側入出金口４５の追加に伴う搬送路の追加が最小限度に抑制されている。
【０１０７】
［Ｄ］第２の出金取引処理
本実施例の紙幣取扱装置１００Ａでは、出金取引処理の際に、利用者の操作によって、紙幣の搬出先を、利用者側入出金口４０と顧客側入出金口４５とから選択することができる。以下では、紙幣の搬出先として顧客側入出金口４５を選択したときの、第２の出金取引処理における紙幣の搬送経路を説明する。なお、紙幣の搬出先として利用者側入出金口４０を選択したときの第１の出金取引処理における紙幣の搬送経路は、参考例の紙幣取扱装置１００における出金取引処理と同様であるため、その説明は省略する。
【０１０８】
図１６は、紙幣の搬出先を顧客側入出金口４５とする第２の出金取引処理における紙幣の搬送経路を示す、図１５と同様な概略図である。第２の出金取引処理では、主制御部１６１は、ゲート１５を制御して、環状搬送路１０の搬送路５０ａと、水平搬送路２０である搬送路５０ｂとを互いに接続する。
【０１０９】
また、主制御部１６１は、ゲート１６を制御して、紙幣判別部３０と顧客側入出金口４５との間の搬送路１０ｄＡ，１０ｂを互いに接続する。さらに、主制御部１６１は、環状搬送路１０の紙幣の搬送方向が、第１の搬送方向Ｄ１となるように、第１の駆動モータ１０ｍを駆動し、水平搬送路２０の紙幣の搬送方向が、前方側から後方側へと向かう方向となるように、第２の駆動モータ２０ｍを駆動する。
【０１１０】
上記のように搬送路８０Ａを構成した後、主制御部１６１は、各連結搬送路７１ａ〜７４ａを駆動させて、第１〜第４の紙幣収納庫７１〜７４からそれぞれ、必要な紙幣を１枚ずつ繰り出させて、紙幣の搬送を開始する。第１〜第４の紙幣収納庫７１〜７４から繰り出された紙幣は、搬送路５０ａを介して、紙幣判別部３０に搬送される。
【０１１１】
主制御部１６１は、紙幣判別部３０にリジェクト紙幣の検出を実行させる。紙幣判別部３０を通過したリジェクト紙幣以外の通常の紙幣は、搬送路１０ｄＡ，１０ｂを介して、顧客側入出金口４５の出口収納庫４７に搬入される。一方、紙幣判別部３０においてリジェクト紙幣が検出されたときには、主制御部１６１は、以下のように搬送路８０Ａを制御して、リジェクト紙幣を出金リジェクト庫７０へと搬送する。
【０１１２】
主制御部１６１は、搬送路５０ｂ上に搬送中の紙幣がなくなったことを検出したときに、搬送路５０ｂの搬送方向を反転させるとともに、出金リジェクト庫７０の連結搬送路７０ａを駆動させる（一点鎖線の矢印によって示した搬送経路）。また、主制御部１６１は、ゲート１４を制御して、搬送路１０ｅＡと搬送路１０ｆとを接続させるとともに、ゲート１５を制御して、搬送路１０ｆと搬送路５０ｂとを接続させる。
【０１１３】
主制御部１６１は、ゲート１６を制御して、搬送路１０ｄＡによって搬送されているリジェクト紙幣を、搬送路１０ｅＡへと誘導する。搬送路１０ｅＡに搬送されたリジェクト紙幣は、搬送路１０ｆを経て、搬送路５０ｂに搬送され、連結搬送路７０ａによって、出金リジェクト庫７０へと搬送される。出金リジェクト庫７０へのリジェクト紙幣の収納が完了すると、主制御部１６１は、再び、各紙幣収納庫７１〜７４から顧客側入出金口４５へと紙幣を搬送する搬送経路の構成に復帰させる。
【０１１４】
このように、本実施例の紙幣取扱装置１００Ａでは、第２の出金取引処理において、顧客が直接、顧客側入出金口４５から紙幣を取り出すことができるように、紙幣を搬送することができる。従って、利用者の過失や不正による損失の発生を抑制できる。また、必要に応じて、紙幣を、利用者側入出金口４０に搬出させることもでき、利便性が向上されている。
【０１１５】
以上のように、本実施例の紙幣取扱装置１００Ａであれば、利用者による紙幣の投入および取り出しを行う取引処理と、顧客による紙幣の投入および取り出しを行う取引処理とを、適宜選択して実行することができ、操作のバリエーションが拡張されている。また、上述したように、顧客側入出金口４５を追加的に設けたことによる搬送路の追加が最小限に抑制されており、装置の複雑化・大型化が抑制されている。なお、本実施例の紙幣取扱装置１００Ａは、前述した参考例の紙幣取扱装置１００の機能や構成を全て備えているため、参考例において説明した紙幣取扱装置１００によって達成されている効果は、本実施例の紙幣取扱装置１００Ａにおいても得ることが可能である。
【０１１６】
［変形例］
なお、本発明は上記の実施例や実施形態に限られるものではなく、その要旨を逸脱しない範囲において種々の態様において実施することが可能である。例えば、本発明の実施例や実施形態は、上記実施例や実施形態で説明した構成の全てを備えていなくとも良く、一部の構成を省略したり、他の構成に置換したりすることも可能である。また、上記実施例や実施形態の構成に、さらに、他の構成を追加することも可能である。
さらに、上記実施例や実施形態の各構成部、機能、処理部、処理手段等の全部または一部は、集積回路などのハードウェアによって実現されるものとしても良いし、プロセッサ等によって実行されるコンピュータプログラム等のソフトウェア、当該コンピュータプログラム等のソフトウェアや、本発明の実施のためのデータベースや、テーブル、ファイル等の情報を記録した記録媒体等の形態で実現されるものとしても良い。
なお、本発明は、上記の実施例や実施形態以外に、種々の形態で実現することが可能であり、例えば、紙幣取扱装置、紙幣取扱装置における紙幣の管理方法、搬送方法、紙幣取扱装置の制御方法および制御装置として実現することが可能である。また、本発明の実施例・実施形態は、次のような変形も可能である。
【０１１７】
［１］変形例１：
上記実施例では、紙幣取扱装置１００Ａは、４つの紙幣収納庫７１〜７４を備えていた。しかし、紙幣取扱装置１００Ａは、さらに多くの紙幣収納庫を備えているものとしても良く、４つより少ない紙幣収納庫を備えているものとしても良い。紙幣取扱装置１００Ａにおける紙幣収納庫の数は、取り扱う紙幣の種類に応じて任意に設定可能である。また、紙幣取扱装置１００Ａにおける搬送路８０Ａの構成は、上記実施例の構成に限定されることはなく、他の構成を有するものとしても良い。
【０１１８】
［２］変形例２：
上記実施例において、紙幣判別部３０は第１の入金取引処理において、紙幣の記番号の読み取りを実行していた。しかし、紙幣判別部３０は、第１の入金取引処理において、紙幣の記番号の読み取りを実行しなくとも良い。ただし、この場合には、主制御部１６１は、記番号を照合することなく、紙幣を収納した順に基づいて返却することになる。ただし、記番号を取得し、その照合処理を行うことにより、紙幣取扱装置１００Ａにおける紙幣の管理精度を向上させることができるため好ましい。
【０１１９】
［３］変形例３：
上記実施例では、入金取引処理や出金取引処理において、紙幣判別部３０がリジェクト紙幣の検出を実行し、主制御部１６１は、搬送路８０，８０Ａを制御して、検出されたリジェクト紙幣をリジェクト庫６０，７０へ搬送する処理を実行していた。しかし、紙幣取扱装置１００，１００Ａでは、これらのリジェクト紙幣の検出や搬送が省略されるものとしても良い。
【０１２０】
［４］変形例４：
上記実施例では、紙幣取扱装置１００Ａは、専用の一時保留庫を備えていない構成を有していた。しかし、紙幣取扱装置１００Ａには、専用の一時保留庫が設けられるものとしても良い。ただし、一時保留庫を設けていないことにより、紙幣の搬送経路を短縮化・簡易化することができる。また、各取引処理や準備処理を効率的に実行することができるとともに、装置の小型化ができる。
【０１２１】
［５］変形例５：
上記実施例では、利用者側入出金口４０を一時保留庫として機能させる第２の入金取引処理のときには、紙幣判別部３０による紙幣の記番号の取得を省略していた。しかし、第２の入金取引処理のときにも、紙幣判別部３０によって各紙幣収納庫７１〜７４に収容される紙幣の記番号を取得するものとしても良い。紙幣の記番号を取得すれば、紙幣取扱装置１００Ａにおける紙幣の管理性を向上させることが可能である。
【０１２２】
［５］変形例５：
上記実施例では、利用者側入出金口４０と、各紙幣収納庫７１〜７４との間で紙幣を搬送する搬送路４０ａ，１０ｅＡ，１０ｄＡ，３０ａ，１０ａ，５０ａ，５０ｂと、利用者側入出金口４０と顧客側入出金口４５との間で紙幣を搬送する搬送路４５ａ，１０ａ，３０ａ，１０ｄＡ，１０ｅＡ，４０ａとを、一部の搬送路１０ａ，３０ａ，１０ｄＡ，１０ｅＡ，４０ａを共通に利用して構成していた。しかし、各紙幣収納庫７１〜７４との間で紙幣を搬送する搬送路と、利用者側入出金口４０と顧客側入出金口４５との間で紙幣を搬送する搬送路とは、互いに別の搬送路によって構成されるものとしても良い。ただし、上記実施例の紙幣取扱装置１００Ａにおける搬送路の構成であれば、装置内に設ける搬送路の数を低減できるため好ましい。
【符号の説明】
【０１２３】
１０…環状搬送路
１０ａ，１０ｂ,１０ｄ，１０ｄＡ，１０ｅ，１０ｅＡ，１０ｆ…搬送路
１０ｍ…第１の駆動モータ
１４〜１６…ゲート
２０…水平搬送路
２０ｍ…第２の駆動モータ
３０…紙幣判別部
３０ａ…搬送路
４０…紙幣入出金口（利用者側入出金口）
４０ａ…入出金搬送路
４１…シャッター
４５…顧客側入出金口
４５ａ…搬送路
４６…入口収納庫
４７…出口収納庫
５０ａ，５０ｂ…搬送路
５１〜５４…ゲート
６０…入金リジェクト庫
６０ａ…入金リジェクト搬送路
６１…シャッター
７０…出金リジェクト庫
７０ａ…連結搬送路
７１〜７４…紙幣収納庫
７１ａ〜７４ａ…連結搬送路
８０，８０Ａ…搬送路
９０…操作受付部
９１…確定ボタン
９２…中止ボタン
９５…顧客側操作受付部
１００，１００Ａ…紙幣取扱装置
１０１，１０１Ａ…処理機構
１０２…収納機構
１６０…制御部
１６１…主制御部
１６２…メモリ
１６３…上位通信部
１６５…検知センサ
１６６…駆動モータ
１６７…ゲート
２００…操作端末
２０１，２０２…係員通知
【図１】
2014002509.tif 000003
【図２】
2014002509.tif 000004
【図３】
2014002509.tif 000005
【図４】
2014002509.tif 000006
【図５】
2014002509.tif 000007
【図６】
2014002509.tif 000008
【図７】
2014002509.tif 000009
【図８】
2014002509.tif 000010
【図９】
2014002509.tif 000011
【図１０】
2014002509.tif 000012
【図１１】
2014002509.tif 000013
【図１２】
2014002509.tif 000014
【図１３】
2014002509.tif 000015
【図１４】
2014002509.tif 000016
【図１５】
2014002509.tif 000017
【図１６】
2014002509.tif 000018